(57)【要約】【課題】本願発明は、伝送路でビットエラーが生じても、フレーム同期はずれ状態に移行しにくいフレーム同期技術を提供することを目的とする。【解決手段】上記課題を解決するために、本願発明では、受信した光信号を電気信号に変換した後、電気信号のエラー訂正をし、フレーム同期が確立された後は、エラー訂正された電気信号の中から、許容値を超えたビットエラーを有する同期ワードの連続をカウントして規定数に達したときにフレーム同期はずれと判定する。【選択図】図４
2012182594.tif 000002
【特許請求の範囲】
【請求項１】
入力されるデータ信号に同期ワードを付加してフレーム付加電気信号を生成するフレーム生成回路と、
前記フレーム生成回路からの前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコーダと、
前記ＦＥＣエンコーダからの前記エラー訂正付加電気信号を光信号に変換して送信する電気光変換回路と、
を備える光送信装置及び
前記電気光変換回路からの前記光信号を受信し、受信した光信号を光電気変換して前記エラー訂正付加電気信号を再生する光電気変換回路と、
前記光電気変換回路からの前記エラー訂正付加電気信号から前記同期ワードを検出し、フレーム同期のとれたエラー訂正付加電気信号を出力する前段同期ワード検出回路と、
前記前段同期ワード検出回路の検出する前記同期ワードのうちビットエラーのない同期ワードの連続をカウントして規定数に達したときにフレーム同期確立と判定し、フレーム同期検出信号を出力する前段フレーム同期検出回路と、
前記前段同期ワード検出回路からの前記フレーム同期のとれたエラー訂正付加電気信号を前記同期ワードを含めてエラー訂正し、前記フレーム付加電気信号を再生するＦＥＣデコーダと、
前記ＦＥＣデコータからの前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出回路と、
前記前段フレーム同期検出回路からの前記フレーム同期検出信号に基づいてフレーム同期確立状態とし、前記後段フレーム同期はずれ検出回路からの前記後段フレーム同期はずれ検出信号に基づいてフレーム同期はずれ状態とする受信器フレーム同期表示信号を出力する受信器フレーム同期表示出力回路と、
前記ＦＥＣデコーダからの前記フレーム付加電気信号から前記同期ワードを除去して前記データ信号を再生するフレーム終端回路と、
を備える光受信装置を有する光送受信システム。
【請求項２】
前記光受信装置は、
前記前段同期ワード検出回路の検出する前記同期ワードのうち許容値を超えたビットエラーを有する同期ワードの連続をカウントして規定数に達したときにフレーム同期はずれと判定し、前段フレーム同期はずれ検出信号を出力する前段フレーム同期はずれ検出回路をさらに備え、
前記受信器フレーム同期表示出力回路は、前記前段フレーム同期検出回路からの前記フレーム同期検出信号に基づいてフレーム同期確立状態とし、前記前段フレーム同期はずれ検出回路からの前記前段フレーム同期はずれ検出信号又は前記後段フレーム同期はずれ検出回路からの前記後段フレーム同期はずれ検出信号に基づいてフレーム同期はずれ状態とする受信器フレーム同期表示信号を出力する、
ことを特徴とする請求項１に記載の光送受信システム。
【請求項３】
前記受信器フレーム同期表示出力回路は、前記前段フレーム同期はずれ検出信号又は前記後段フレーム同期はずれ検出信号のいずれかが入力されるとフレーム同期はずれ状態とすることを特徴とする請求項２に記載の光送受信システム。
【請求項４】
前記受信器フレーム同期表示出力回路は、前記後段フレーム同期はずれ検出信号のみに基づいてフレーム同期はずれ状態とすることを特徴とする請求項２に記載の光送受信システム。
【請求項５】
前記前段フレーム同期はずれ検出回路のビットエラー数の許容値が、前記後段フレーム同期はずれ検出回路のビットエラー数の許容値よりも大きく、
前記受信器フレーム同期表示出力回路は、前記前段フレーム同期はずれ検出信号又は前記後段フレーム同期はずれ検出信号のいずれかが入力されるとフレーム同期はずれ状態とすることを特徴とする請求項２に記載の光送受信システム。
【請求項６】
前記前段フレーム同期はずれ検出回路のビットエラー数の許容値が、前記後段フレーム同期はずれ検出回路のビットエラー数の許容値よりも大きく、
前記受信器フレーム同期表示出力回路は、前記前段フレーム同期はずれ検出信号のみに基づいてフレーム同期はずれ状態とすることを特徴とする請求項２に記載の光送受信システム。
【請求項７】
入力されるデータ信号に同期ワードを付加してフレーム付加電気信号を生成するフレーム生成手順と、
前記フレーム生成手順の後、前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコード手順と、
前記ＦＥＣエンコーダ手順の後、前記エラー訂正付加電気信号を光信号に変換して送信する電気光変換手順と、
前記電気光変換手順の後、前記光信号を受信し、受信した光信号を光電気変換して前記エラー訂正付加電気信号を再生する光電気変換手順と、
前記光電気変換手順の後、前記エラー訂正付加電気信号から前記同期ワードを検出し、フレーム同期のとれたエラー訂正付加電気信号を出力する前段同期ワード検出手順と、
前記前段同期ワード検出手順の後、前記前段同期ワード検出手順で検出する前記同期ワードのうちビットエラーのない同期ワードの連続をカウントして規定数に達したときにフレーム同期確立と判定し、フレーム同期検出信号を出力する前段フレーム同期検出手順と、
前記前段フレーム同期検出手順の後、前記フレーム同期のとれたエラー訂正付加電気信号を前記同期ワードを含めてエラー訂正し、前記フレーム付加電気信号を再生するＦＥＣデコード手順と、
前記ＦＥＣデコード手順の後、前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出手順と、
前記後段フレーム同期はずれ検出手順での前記後段フレーム同期はずれ検出信号に基づいてフレーム同期はずれ状態とする受信器フレーム同期表示信号を出力する受信器フレーム同期表示出力手順と、
を備える光送受信手順。
【請求項８】
光信号を受信し、受信した光信号を光電気変換してエラー訂正付加電気信号を再生する光電気変換回路と、
前記光電気変換回路からの前記エラー訂正付加電気信号から同期ワードを検出し、フレーム同期のとれたエラー訂正付加電気信号を出力する前段同期ワード検出回路と、
前記前段同期ワード検出回路の検出する前記同期ワードのうちビットエラーのない同期ワードの連続をカウントして規定数に達したときにフレーム同期確立と判定し、フレーム同期検出信号を出力する前段フレーム同期検出回路と、
前記前段同期ワード検出回路からの前記フレーム同期のとれたエラー訂正付加電気信号を前記同期ワードを含めてエラー訂正し、フレーム付加電気信号を再生するＦＥＣデコーダと、
前記ＦＥＣデコータからの前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出回路と、
前記前段フレーム同期検出回路からの前記フレーム同期検出信号に基づいてフレーム同期確立状態とし、前記後段フレーム同期はずれ検出回路からの前記後段フレーム同期はずれ検出信号に基づいてフレーム同期はずれ状態とする受信器フレーム同期表示信号を出力する受信器フレーム同期表示出力回路と、
前記ＦＥＣデコーダからの前記フレーム付加電気信号から前記同期ワードを除去して前記データ信号を再生するフレーム終端回路と、を備える光受信装置。
【請求項９】
光信号を受信し、受信した光信号を光電気変換して前記エラー訂正付加電気信号を再生する光電気変換手順と、
前記光電気変換手順の後、前記エラー訂正付加電気信号から前記同期ワードを検出し、フレーム同期のとれたエラー訂正付加電気信号を出力する前段同期ワード検出手順と、
前記前段同期ワード検出手順の後、前記前段同期ワード検出手順で検出する前記同期ワードのうちビットエラーのない同期ワードの連続をカウントして規定数に達したときにフレーム同期確立と判定し、フレーム同期検出信号を出力する前段フレーム同期検出手順と、
前記前段フレーム同期検出手順の後、前記フレーム同期のとれたエラー訂正付加電気信号を前記同期ワードを含めてエラー訂正し、前記フレーム付加電気信号を再生するＦＥＣデコード手順と、
前記ＦＥＣデコード手順の後、前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出手順と、
前記後段フレーム同期はずれ検出手順での前記後段フレーム同期はずれ検出信号に基づいてフレーム同期はずれ状態とする受信器フレーム同期表示信号を出力する受信器フレーム同期表示出力手順と、を備える光受信手順。
【請求項１０】
光信号を受信し、受信した光信号を光電気変換して前記エラー訂正付加電気信号を再生する光電気変換ステップと、
前記光電気変換ステップの後、前記エラー訂正付加電気信号から前記同期ワードを検出し、フレーム同期のとれたエラー訂正付加電気信号を出力する前段同期ワード検出ステップと、
前記前段同期ワード検出ステップの後、前記前段同期ワード検出ステップで検出する前記同期ワードのうちビットエラーのない同期ワードの連続をカウントして規定数に達したときにフレーム同期確立と判定し、フレーム同期検出信号を出力する前段フレーム同期検出ステップと、
前記前段フレーム同期検出ステップの後、前記フレーム同期のとれたエラー訂正付加電気信号を前記同期ワードを含めてエラー訂正し、前記フレーム付加電気信号を再生するＦＥＣデコードステップと、
前記ＦＥＣデコードステップの後、前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出ステップと、
前記後段フレーム同期はずれ検出ステップでの前記後段フレーム同期はずれ検出信号に基づいてフレーム同期はずれ状態とする受信器フレーム同期表示信号を出力する受信器フレーム同期表示出力ステップと、を備える受信ステップ、
をコンピュータに実行させるための光受信プログラム。
【発明の詳細な説明】
【技術分野】
【０００１】
本発明は、光送受信システム及び光受信装置におけるフレーム同期技術に関するものである。
【背景技術】
【０００２】
現在、光伝送方式では伝送路の信頼性を向上させるために、様々な試みがなされている。例えば、フレーム同期回路を２系統持って、現用回線と予備回線の切り替えを無瞬断で行う技術が提案されている（例えば、特許文献１参照。）。
【０００３】
また、ディジタル回路技術の進歩により、エラー訂正能力の高いＦＥＣ（Ｆｏｒｗａｒｄ  Ｅｒｒｏｒ  Ｃｏｒｒｅｃｔｉｏｎ）技術が実現、適用できるようになってきた。このようなＦＥＣ技術を用いて、エラー訂正をすることにより伝送路の信頼性を高めることができる。
【０００４】
現在のＯＴＮ（Ｏｐｔｉｃａｌ  Ｔｒａｎｓｐｏｒｔ  Ｎｅｔｗｏｒｋ）に適用されているフレーム構成の例を図１に示す。図１において、１フレームは１６，３２０バイトからなっており、そのうち、同期ワードは先頭の６バイトが割り振られている。
【０００５】
このようなフレーム構成に対して、従来の光送受信システムの構成を図２に示す。図２において、７０は光送信装置、７１はフレーム生成回路、７２はＦＥＣエンコーダ、７５は電気光変換回路、４０は光ファイバ伝送路、８０は光受信装置、８５は光電気変換回路、８２はＦＥＣデコーダ、８１はフレーム終端回路、９１は同期ワード検出回路、９２はフレーム同期検出回路、９３はフレーム同期はずれ検出回路、９５は受信器フレーム同期表示回路である。
【０００６】
図２に示す光送受信システムの動作を表すタイムチャートを図３に示す。フレーム生成回路７１で生成されたフレームを同期ワード検出回路９１で同期ワードを検出する。図２において、フレーム同期検出回路９２がフレーム番号＃３、＃４の同期ワードで連続してビットエラーのないことを検出すると、フレーム同期検出信号を出力する。受信器フレーム同期表示回路９５はフレーム同期検出信号を検出すると、受信器フレーム同期表示信号をＨｉｇｈにする。これによって、光受信装置はフレーム同期を確立した状態となる。
【０００７】
光ファイバ伝送路のエラーレートが高くなると、ＯＴＮフレームの同期ワードにもエラーが含まれる確率が高くなる。フレーム同期はずれ検出回路９３がフレーム番号＃ｎ＋１から＃ｎ＋７までの同期ワードで連続してビットエラーを検出すると、フレーム同期はずれ検出信号を出力する。受信器フレーム同期表示回路９５は、フレーム同期はずれ検出信号を検出すると、受信器フレーム同期表示信号をＬｏｗにする。これによって、光受信装置はフレーム同期はずれ状態となる。
【先行技術文献】
【特許文献】
【０００８】
【特許文献１】特開２００３−１２４９１６号公報
【発明の概要】
【発明が解決しようとする課題】
【０００９】
図２におけるＦＥＣデコーダ８２がエラー訂正を行った結果、エラー訂正後のデータ信号に誤りが含まれないにも拘わらず、突然、受信器フレーム同期表示回路９５が受信器フレーム同期表示信号をＬｏｗとするため、通信が遮断され、再度、上記のフレーム同期確立動作が完了するまでデータ信号が廃棄されることになる。光ファイバ伝送路のエラーレートが高い場合は、フレーム同期確立にも時間がかかるため、結局廃棄されるデータ信号が多くなり、通信回線のスループットが劣化するという課題が発生する。
【００１０】
そこで、本願発明は、伝送路でビットエラーが生じても、フレーム同期はずれ状態に移行しにくいフレーム同期技術を提供することを目的とする。
【課題を解決するための手段】
【００１１】
上記目的を達成するために、本願発明では、受信した光信号を電気信号に変換した後、電気信号のエラー訂正をし、フレーム同期が確立された後は、エラー訂正された電気信号の中から、許容値を超えたビットエラーを有する同期ワードの連続をカウントして規定数に達したときにフレーム同期はずれと判定する。
【００１２】
本願発明は、入力されるデータ信号に同期ワードを付加してフレーム付加電気信号を生成するフレーム生成回路と、前記フレーム生成回路からの前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコーダと、前記ＦＥＣエンコーダからの前記エラー訂正付加電気信号を光信号に変換して送信する電気光変換回路と、を備える光送信装置及び前記電気光変換回路からの前記光信号を受信し、受信した光信号を光電気変換して前記エラー訂正付加電気信号を再生する光電気変換回路と、前記光電気変換回路からの前記エラー訂正付加電気信号から前記同期ワードを検出し、フレーム同期のとれたエラー訂正付加電気信号を出力する前段同期ワード検出回路と、前記前段同期ワード検出回路の検出する前記同期ワードのうちビットエラーのない同期ワードの連続をカウントして規定数に達したときにフレーム同期確立と判定し、フレーム同期検出信号を出力する前段フレーム同期検出回路と、前記前段同期ワード検出回路からの前記フレーム同期のとれたエラー訂正付加電気信号を前記同期ワードを含めてエラー訂正し、前記フレーム付加電気信号を再生するＦＥＣデコーダと、前記ＦＥＣデコータからの前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出回路と、前記前段フレーム同期検出回路からの前記フレーム同期検出信号に基づいてフレーム同期確立状態とし、前記後段フレーム同期はずれ検出回路からの前記後段フレーム同期はずれ検出信号に基づいてフレーム同期はずれ状態とする受信器フレーム同期表示信号を出力する受信器フレーム同期表示出力回路と、前記ＦＥＣデコーダからの前記フレーム付加電気信号から前記同期ワードを除去して前記データ信号を再生するフレーム終端回路と、を備える光受信装置を有する光送受信システムである。
【００１３】
本願発明は、入力されるデータ信号に同期ワードを付加してフレーム付加電気信号を生成するフレーム生成手順と、前記フレーム生成手順の後、前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコード手順と、前記ＦＥＣエンコーダ手順の後、前記エラー訂正付加電気信号を光信号に変換して送信する電気光変換手順と、前記電気光変換手順の後、前記光信号を受信し、受信した光信号を光電気変換して前記エラー訂正付加電気信号を再生する光電気変換手順と、前記光電気変換手順の後、前記エラー訂正付加電気信号から前記同期ワードを検出し、フレーム同期のとれたエラー訂正付加電気信号を出力する前段同期ワード検出手順と、前記前段同期ワード検出手順の後、前記前段同期ワード検出手順で検出する前記同期ワードのうちビットエラーのない同期ワードの連続をカウントして規定数に達したときにフレーム同期確立と判定し、フレーム同期検出信号を出力する前段フレーム同期検出手順と、前記前段フレーム同期検出手順の後、前記フレーム同期のとれたエラー訂正付加電気信号を前記同期ワードを含めてエラー訂正し、前記フレーム付加電気信号を再生するＦＥＣデコード手順と、前記ＦＥＣデコード手順の後、前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出手順と、前記後段フレーム同期はずれ検出手順での前記後段フレーム同期はずれ検出信号に基づいてフレーム同期はずれ状態とする受信器フレーム同期表示信号を出力する受信器フレーム同期表示出力手順と、を備える光送受信手順である。
【００１４】
本願発明は、光信号を受信し、受信した光信号を光電気変換してエラー訂正付加電気信号を再生する光電気変換回路と、前記光電気変換回路からの前記エラー訂正付加電気信号から同期ワードを検出し、フレーム同期のとれたエラー訂正付加電気信号を出力する前段同期ワード検出回路と、前記前段同期ワード検出回路の検出する前記同期ワードのうちビットエラーのない同期ワードの連続をカウントして規定数に達したときにフレーム同期確立と判定し、フレーム同期検出信号を出力する前段フレーム同期検出回路と、前記前段同期ワード検出回路からの前記フレーム同期のとれたエラー訂正付加電気信号を前記同期ワードを含めてエラー訂正し、フレーム付加電気信号を再生するＦＥＣデコーダと、前記ＦＥＣデコータからの前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出回路と、前記前段フレーム同期検出回路からの前記フレーム同期検出信号に基づいてフレーム同期確立状態とし、前記後段フレーム同期はずれ検出回路からの前記後段フレーム同期はずれ検出信号に基づいてフレーム同期はずれ状態とする受信器フレーム同期表示信号を出力する受信器フレーム同期表示出力回路と、前記ＦＥＣデコーダからの前記フレーム付加電気信号から前記同期ワードを除去して前記データ信号を再生するフレーム終端回路と、を備える光受信装置である。
【００１５】
本願発明は、光信号を受信し、受信した光信号を光電気変換して前記エラー訂正付加電気信号を再生する光電気変換手順と、前記光電気変換手順の後、前記エラー訂正付加電気信号から前記同期ワードを検出し、フレーム同期のとれたエラー訂正付加電気信号を出力する前段同期ワード検出手順と、前記前段同期ワード検出手順の後、前記前段同期ワード検出手順で検出する前記同期ワードのうちビットエラーのない同期ワードの連続をカウントして規定数に達したときにフレーム同期確立と判定し、フレーム同期検出信号を出力する前段フレーム同期検出手順と、前記前段フレーム同期検出手順の後、前記フレーム同期のとれたエラー訂正付加電気信号を前記同期ワードを含めてエラー訂正し、前記フレーム付加電気信号を再生するＦＥＣデコード手順と、前記ＦＥＣデコード手順の後、前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出手順と、前記後段フレーム同期はずれ検出手順での前記後段フレーム同期はずれ検出信号に基づいてフレーム同期はずれ状態とする受信器フレーム同期表示信号を出力する受信器フレーム同期表示出力手順と、を備える光受信手順である。
【００１６】
本願発明は、光信号を受信し、受信した光信号を光電気変換して前記エラー訂正付加電気信号を再生する光電気変換ステップと、前記光電気変換ステップの後、前記エラー訂正付加電気信号から前記同期ワードを検出し、フレーム同期のとれたエラー訂正付加電気信号を出力する前段同期ワード検出ステップと、前記前段同期ワード検出ステップの後、前記前段同期ワード検出ステップで検出する前記同期ワードのうちビットエラーのない同期ワードの連続をカウントして規定数に達したときにフレーム同期確立と判定し、フレーム同期検出信号を出力する前段フレーム同期検出ステップと、前記前段フレーム同期検出ステップの後、前記フレーム同期のとれたエラー訂正付加電気信号を前記同期ワードを含めてエラー訂正し、前記フレーム付加電気信号を再生するＦＥＣデコードステップと、前記ＦＥＣデコードステップの後、前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出ステップと、前記後段フレーム同期はずれ検出ステップでの前記後段フレーム同期はずれ検出信号に基づいてフレーム同期はずれ状態とする受信器フレーム同期表示信号を出力する受信器フレーム同期表示出力ステップと、を備える受信ステップ、をコンピュータに実行させるための光受信プログラムである。
【発明の効果】
【００１７】
本願発明によれば、伝送路でビットエラーが生じても、フレーム同期はずれ状態に移行しにくいフレーム同期技術を提供することができる。
【図面の簡単な説明】
【００１８】
【図１】現在のＯＴＮに適用されているフレーム構成の例
【図２】従来の光送受信システムの構成例
【図３】従来の光送受信システムの動作を表すタイムチャートの例
【図４】本実施形態の光送受信システムの構成例
【図５】光受信装置の動作を表すタイムチャートの例
【図６】本実施形態の光送受信手順
【図７】本実施形態の光送受信システムの構成例
【図８】本実施形態の光送受信システムの構成例
【図９】セレクタの構成
【図１０】論理和回路の構成
【図１１】光受信装置の動作を表すタイムチャートの例
【図１２】光受信装置の動作を表すタイムチャートの例
【図１３】光受信装置の動作を表すタイムチャートの例
【図１４】本実施形態の光送受信手順の例
【図１５】本実施形態の光送受信システムの構成例
【図１６】本実施形態のコンピュータに実行させるための光受信プログラムの例
【図１７】本実施形態のコンピュータに実行させるための光受信プログラムの例
【図１８】本実施形態の光電気変換回路の構成例
【発明を実施するための形態】
【００１９】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２０】
（実施形態１）
本実施形態の光送受信システムの構成例を図４に示す。図４において、光送受信システムは、光送信装置１０及び光受信装置２０を有し、両者は光ファイバ伝送路４０で接続されている。光ファイバ伝送路４０の途中には光中継器等が接続されていてもよい。
【００２１】
光送信装置１０は、入力されるデータ信号に同期ワードを付加してフレーム付加電気信号を生成するフレーム生成回路１１と、フレーム生成回路１１からのフレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコーダ１２と、ＦＥＣエンコーダ１２からのエラー訂正付加電気信号を光信号に変換して送信する電気光変換回路１５と、を備える。
【００２２】
光受信装置２０は、電気光変換回路１５からの光信号を受信し、受信した光信号を光電気変換してエラー訂正付加電気信号を再生する光電気変換回路２５と、光電気変換回路２５からのエラー訂正付加電気信号から同期ワードを検出し、フレーム同期のとれたエラー訂正付加電気信号を出力する前段同期ワード検出回路３１と、前段同期ワード検出回路３１の検出する同期ワードのうちビットエラーのない同期ワードの連続をカウントして規定数に達したときにフレーム同期確立と判定し、フレーム同期検出信号を出力する前段フレーム同期検出回路３２と、前段同期ワード検出回路３１からのフレーム同期のとれたエラー訂正付加電気信号を、同期ワードを含めてエラー訂正し、フレーム付加電気信号を再生するＦＥＣデコーダ２２と、ＦＥＣデコータ２２からのフレーム付加電気信号に含まれる同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出回路３４と、前段フレーム同期検出回路３２からのフレーム同期検出信号に基づいてフレーム同期確立状態とし、後段フレーム同期はずれ検出回路３４からの後段フレーム同期はずれ検出信号に基づいてフレーム同期はずれ状態とする受信器フレーム同期表示信号を出力する受信器フレーム同期表示出力回路３５と、ＦＥＣデコーダ２２からのフレーム付加電気信号から同期ワードを除去してデータ信号を再生するフレーム終端回路２１と、を備える。
【００２３】
光受信装置２０では、光電気変換回路２５は受信した光信号を光電気変換してエラー訂正付加電気信号を再生する。前段同期ワード検出回路３１は、光電気変換回路２５からのエラー訂正付加電気信号から同期ワードを検出する。例えば、図１に示すようなＯＮＴフレーム構成であれば、フレームの先頭にある６バイトからなる同期ワードを検出する。同期ワードを検出すると、フレーム同期のとれたエラー訂正付加電気信号を出力する。前段フレーム同期検出回路３２は、前段同期ワード検出回路３１の検出する同期ワードのうちビットエラーのない同期ワードの連続を同期保護カウンタ（不図示）でカウントする。同期ワードの連続数が規定数に達したときにフレーム同期確立と判定し、フレーム同期検出信号を出力する。ビットエラーのない同期ワードの連続数の規定数をフレーム同期検出保護段数という。受信器フレーム同期表示出力回路３５は、前段フレーム同期検出回路３２からのフレーム同期検出信号に基づいてフレーム同期確立状態とする受信器フレーム同期表示信号を出力する。受信器フレーム同期表示出力回路３５が、フレーム同期確立状態とする受信器フレーム同期表示信号を出力してから、前段同期ワード検出回路３１は、フレーム同期のとれたエラー訂正付加電気信号を出力したり、フレーム終端回路２１は、データ信号を出力したりしてもよい。
【００２４】
ＦＥＣデコーダ２２は、前段同期ワード検出回路３１からのフレーム同期のとれたエラー訂正付加電気信号を、同期ワードを含めてエラー訂正し、フレーム付加電気信号を再生する。フレーム付加電気信号はエラー訂正されているため、ビットエラーが少なくなっている。後段フレーム同期はずれ検出回路３４は、ＦＥＣデコータ２２からのフレーム付加電気信号に含まれる同期ワードのうち許容値を超えたビットエラーを有する同期ワードの連続をカウントする。後段フレーム同期はずれ検出回路３４は、ビットエラーを有する同期ワードの連続を後段同期はずれ保護カウンタ（不図示）でカウントする。後段フレーム同期はずれ検出回路３４は、すでに同期ワードの位置が分かっているため、分かった位置のワードを予め決めておいた同期ワードと比較してもよい。ビットエラーを有する同期ワードの連続数が規定数に達したときにフレーム同期はずれと判定し、後段フレーム同期はずれ検出信号を出力する。同期ワードに含まれるビットエラーの許容限界を同期ワードビットエラー許容数という。同期ワードビットエラー許容数＝１のときは、１ビットのエラーでもカウントを開始することを意味する。ビットエラーを有する同期ワードの連続数の規定数をフレーム同期はずれ検出保護段数という。受信器フレーム同期表示出力回路３５は、後段フレーム同期はずれ検出回路３４からの後段フレーム同期はずれ検出信号に基づいてフレーム同期はずれ状態とする受信器フレーム同期表示信号を出力する。
【００２５】
受信器フレーム同期表示出力回路３５がフレーム同期はずれ状態とする受信器フレーム同期表示信号を出力すると、フレーム終端回路２１は、データ信号の出力を中止したり、前段同期ワード検出回路３１は、フレーム同期のとれたエラー訂正付加電気信号の出力を中止したり、前段同期ワード検出回路３１は、同期ワードの探索を開始したりする。
【００２６】
本実施形態の後段フレーム同期はずれ検出回路３４は、ＦＥＣエンコーダ２２の出力するエラー訂正のされたフレーム付加電気信号からビットエラーを有する同期ワードを検出するため、フレーム同期はずれとなる確率が少ない。そのため、不用意に後段フレーム同期はずれ検出信号を出力することはない。その結果、フレーム終端回路２１が、データ信号の出力を中止したり、前段同期ワード検出回路３１が、フレーム同期のとれたエラー訂正付加電気信号の出力を中止したり、前段同期ワード検出回路３１が、同期ワードの探索を開始したりすることが少なくなる。つまり、フレーム同期はずれ状態に移行しにくい。
【００２７】
図４における光電気変換回路２５の例として、図１８にディジタルコヒレント光受信回路の例を示す。電気光変換回路１５からの光信号がディジタルコヒレント光信号の場合の例である。ディジタルコヒレント光受信回路５００は、光を直交する偏波光に分離する偏波ビームスプリッタ５１１、５１２、光を合成してＩ成分及びＱ成分に分離する光ハイブリッド回路５２１、５２２、光信号を電気信号に変換するＯ／Ｅ変換部５３１、５３２、アナログ信号をディジタル信号に変換するＡ／Ｄ変換部５４１、５４２、ディジタル処理をして元のディジタル信号を再生するディジタル信号処理部５５０、入力する光信号と同じ又は同等の発振周波数で発振する局部発振光源５６０を備える。
【００２８】
光信号が偏波ビームスプリッタ５１１に入力されると、偏波ビームスプリッタ５１１でＸ方向とＹ方向の偏波光に分離される。局部発振光源５６０からの光信号が偏波ビームスプリッタ５１２に入力されると、偏波ビームスプリッタ５１２でＸ方向とＹ方向の偏波光に分離される。それぞれ同方向の偏波光は光ハイブリッド回路５２１、５２２で合成されて、Ｉ成分とＱ成分に分離される。分離された光はＯ／Ｅ変換部５３１、５３２でそれぞれ電気信号に変換される。電気信号に変換された後、Ａ／Ｄ変換部５４１、５４２でそれぞれＩ成分電気信号及びＱ成分電気信号として出力される。ディジタル信号処理部５５０では、これらのＩ成分電気信号及びＱ成分電気信号をディジタル信号処理して、元の信号を再生する。
【００２９】
ここで説明したディジタルコヒレント光受信回路５００は、以後の実施形態の光電気変換回路に適用することができる。
【００３０】
図４に示す光受信装置の動作を表すタイムチャートの例を図５に示す。図５において、フレーム同期検出保護段数＝２、同期ワードビットエラー許容数＝１、フレーム同期はずれ検出保護段数＝７の例である。これらの数値は１例であって、これらの数値に限定されるものではない。＃３、＃４と２回続けて同期ワードにビットエラーが生じなかったため（同期確立保護カウンタ＝２）となるため、前段フレーム同期検出回路３２は、フレーム同期検出信号を出力する。これに伴い、受信器フレーム同期表示出力回路３５は、受信器フレーム同期表示信号をフレーム同期確立状態であるＨｉｇｈ状態とする。
【００３１】
エラー訂正後の同期ワードに含まれるビットエラーが少ないため、後段同期はずれ保護カウンタの値はほとんどが“０”である。そのため、連続してビットエラーを有する同期ワードが検出されることがないため、後段フレーム同期はずれ検出信号が出力されることはない。その結果、受信器フレーム同期表示信号は、フレーム同期確立状態であるＨｉｇｈ状態が維持される。
【００３２】
（実施形態２）
本実施形態の光送受信手順の例を図６に示す。図６において、光送受信方法は、入力されるデータ信号に同期ワードを付加してフレーム付加電気信号を生成するフレーム生成手順Ｐ１１と、フレーム生成手順Ｐ１１の後、フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコード手順Ｐ１２と、ＦＥＣエンコーダ手順Ｐ１２の後、エラー訂正付加電気信号を光信号に変換して送信する電気光変換手順Ｐ１３と、電気光変換手順Ｐ１３の後、光信号を受信し、受信した光信号を光電気変換して前記エラー訂正付加電気信号を再生する光電気変換手順Ｐ１４と、光電気変換手順Ｐ１４の後、エラー訂正付加電気信号から同期ワードを検出し、フレーム同期のとれたエラー訂正付加電気信号を出力する前段同期ワード検出手順Ｐ１５と、前段同期ワード検出手順Ｐ１５の後、前段同期ワード検出手順Ｐ１５で検出する同期ワードのうちビットエラーのない同期ワードの連続をカウントして規定数に達したときにフレーム同期確立と判定し、フレーム同期検出信号を出力する前段フレーム同期検出手順Ｐ１６と、前段フレーム同期検出手順Ｐ１６の後、フレーム同期のとれたエラー訂正付加電気信号を同期ワードを含めてエラー訂正し、フレーム付加電気信号を再生するＦＥＣデコード手順Ｐ１７と、ＦＥＣデコード手順Ｐ１７の後、フレーム付加電気信号に含まれる同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出手順Ｐ１８と、後段フレーム同期はずれ検出手順Ｐ１８での後段フレーム同期はずれ検出信号に基づいてフレーム同期はずれ状態とする受信器フレーム同期表示信号を出力する受信器フレーム同期表示出力手順Ｐ１９と、を備える。
【００３３】
本実施形態の後段フレーム同期はずれ検出手順Ｐ１８では、ＦＥＣエンコード手順Ｐ１７でのエラー訂正のされたフレーム付加電気信号からビットエラーを有する同期ワードを検出するため、同期ワード中に含まれるビットエラーが少ない。そのため、不用意に後段フレーム同期はずれ検出信号が出力されることはない。その結果、データ信号の出力を中止したり、フレーム同期のとれたエラー訂正付加電気信号の出力を中止したり、同期ワードの探索を開始したりすることが少なくなる。つまり、フレーム同期はずれ状態に移行しにくい。
【００３４】
（実施形態３）
本実施形態の光送受信システムの構成例を図７に示す。実施形態１との差は、光送信装置１０において、ＦＥＣエンコーダ１２と電気光変換回路１５との間にスクランブラ１３が配置され、光受信装置２０において、前段同期ワード検出回路３１とＦＥＣデコーダ２２との間にデスクランブラ２３が配置されていることである。
【００３５】
スクランブラ１３は、ＦＥＣエンコーダ１２からのエラー訂正付加電気信号を擬似ランダム信号でスクランブルする。スクランブルによって、“０”や“１”の同符号連続を防止したり、“０”と“１”の出現確率を等しくすることができる。デスクランブラ２３は、スクランブルされた信号を元に戻す。本実施形態の光送受信システムは、スクランブラ１３やデスクランブラ２３が配置されても、実施形態１と同様の効果を発揮することができる。
【００３６】
（実施形態４）
本実施形態の光送受信システムの構成例を図８に示す。実施形態１との差は、光受信装置２０が、前段同期ワード検出回路３１の検出する同期ワードのうち許容値を超えたビットエラーを有する同期ワードの連続をカウントして規定数に達したときにフレーム同期はずれと判定し、前段フレーム同期はずれ検出信号を出力する前段フレーム同期はずれ検出回路３３をさらに備え、受信器フレーム同期表示出力回路３５は、前段フレーム同期検出回路３２からのフレーム同期検出信号に基づいてフレーム同期確立状態とし、前段フレーム同期はずれ検出回路３３からの前段フレーム同期はずれ検出信号又は後段フレーム同期はずれ検出回路３４からの後段フレーム同期はずれ検出信号に基づいてフレーム同期はずれ状態とする受信器フレーム同期表示信号を出力する点である。
【００３７】
受信器フレーム同期表示出力回路３５が、前段フレーム同期はずれ検出回路３３からの前段フレーム同期はずれ検出信号又は後段フレーム同期はずれ検出回路３４からの後段フレーム同期はずれ検出信号のいずれを選択するかは、図９に示すセレクタで実現することができる。前段フレーム同期検出回路３２がフレーム同期確立と判定してからは、後段フレーム同期はずれ検出回路３４からの後段フレーム同期はずれ検出信号に基づいてフレーム同期はずれ状態とする。この判定は、動作イネーブル信号となって現れる。セレクタは受信器フレーム同期表示出力回路３５の内部回路であり、動作イネーブル信号は受信器フレーム同期表示出力回路３５の内部状態を示す。
【００３８】
本実施形態の受信器フレーム同期表示出力回路３５は、フレーム同期確立後は、後段フレーム同期はずれ検出回路３４からの後段フレーム同期はずれ検出信号に基づいてフレーム同期はずれ状態とする。後段フレーム同期はずれ検出回路３４は、ＦＥＣエンコーダ２２の出力するエラー訂正のされたフレーム付加電気信号からビットエラーを有する同期ワードを検出するため、フレーム同期はずれとなる確率が少ない。そのため、不用意に後段フレーム同期はずれ検出信号を出力することはない。その結果、フレーム終端回路２１が、データ信号の出力を中止したり、前段同期ワード検出回路３１が、フレーム同期のとれたエラー訂正付加電気信号の出力を中止したり、前段同期ワード検出回路３１が、同期ワードの探索を開始したりすることが少なくなる。つまり、フレーム同期はずれ状態に移行しにくい。
【００３９】
図８に示す光受信装置の動作を表すタイムチャートの例を図１１に示す。図１１において、フレーム同期検出保護段数＝２、同期ワードビットエラー許容数＝１、前段フレーム同期はずれ検出保護段数＝後段フレーム同期はずれ検出保護段数＝７の例である。これらの数値は１例であって、これらの数値に限定されるものではない。＃３、＃４と２回続けて同期ワードにビットエラーが生じなかったため（同期確立保護カウンタ＝２）となるため、前段フレーム同期検出回路３２は、フレーム同期検出信号を出力する。これに伴い、受信器フレーム同期表示出力回路３５は、受信器フレーム同期表示信号をフレーム同期確立状態であるＨｉｇｈ状態とする。
【００４０】
図１１に示す動作イネーブル信号は、ＦＥＣデコーダ２２や後段フレーム同期はずれ検出回路３４の処理遅延を考慮して同期検出信号が出力されてから、２フレーム後にＨｉｇｈ状態とされている。動作イネーブル信号がＨｉｇｈ状態になってからは、後段フレーム同期はずれ検出信号が出力されるまで、受信器フレーム同期表示信号はフレーム同期確立状態であるＨｉｇｈ状態のままである。
【００４１】
（実施形態５）
本実施形態の光送受信システムは、図８に示す光送受信システムと構成は同じである。光受信装置の動作を表すタイムチャートの例を図１２に示す。図１２において、受信器フレーム同期表示出力回路３５は、受信器フレーム同期表示信号をフレーム同期確立状態であるＨｉｇｈ状態とするまでは、実施形態４と同様と動作する。但し、前段フレーム同期はずれ検出信号又は後段フレーム同期はずれ検出信号のいずれかが出力されると、受信器フレーム同期表示出力回路３５は、動作イネーブル信号をＨｉｇｈ状態からＬｏｗ状態とする。図９に示すセレクタは、動作イネーブル信号がＨｉｇｈ状態からＬｏｗ状態になることに伴い、受信器フレーム同期表示信号を前段フレーム同期はずれ検出信号に基づいて決定することになる。他の方法を図１０に示す。図１０は論理和回路である。フレーム同期確立後は、前段フレーム同期はずれ検出信号又は後段フレーム同期はずれ検出信号のいずれかが出力されると、受信器フレーム同期表示信号をＬｏｗ状態とする。あるいは、受信器フレーム同期表示出力回路３５は、前段フレーム同期はずれ検出信号のみに基づいてフレーム同期はずれ状態とすることでもよい。
【００４２】
例えば、真のフレーム同期はずれの場合、“１”と“０”の出現確率がそれぞれ０．５で、同期ワードが６バイトとすると、同期ワードのビットエラー数は２４ビットとなる。この場合、前段フレーム同期はずれ検出回路３３の方が後段フレーム同期はずれ検出回路３４よりも早くフレーム同期はずれを検出することができる。早めにフレーム同期はずれを検出できれば、前段同期ワード検出回路３１は早めに同期ワードの探索を開始することができる。
【００４３】
但し、前段フレーム同期はずれ検出回路３３のビットエラー数の許容値が、後段フレーム同期はずれ検出回路３４のビットエラー数の許容値よりも大きいことが望ましい。例えば、フレーム同期検出保護段数＝２、前段フレーム同期はずれ検出の際の同期ワードビットエラー許容数＝５、後段フレーム同期はずれ検出の際の同期ワードビットエラー許容数＝１、前段フレーム同期はずれ検出保護段数＝後段フレーム同期はずれ検出保護段数＝７とする。これらの数値は１例であって、これらの数値に限定されるものではない。このような設定とすれば、前段フレーム同期はずれ検出回路３３の方が後段フレーム同期はずれ検出回路３４よりも早くフレーム同期はずれを検出することができ、その一方で、前段フレーム同期はずれ検出回路３３が、わずかなビットエラーでフレーム同期はずれと判定してしまう確率が減少する。
【００４４】
（実施形態６）
本実施形態の光送受信システムでは、図８に示す光送受信システムと構成は同じである。光受信装置の動作を表すタイムチャートの例を図１３に示す。図１３において、受信器フレーム同期表示出力回路３５は、受信器フレーム同期表示信号をフレーム同期確立状態であるＨｉｇｈ状態とするまでは、実施形態４と同様に動作する。但し、前段フレーム同期はずれ検出信号又は後段フレーム同期はずれ検出信号のいずれかが出力されると、受信器フレーム同期表示出力回路３５は、動作イネーブル信号をＨｉｇｈ状態からＬｏｗ状態とする。図９に示すセレクタは、動作イネーブル信号がＨｉｇｈ状態からＬｏｗ状態になることに伴い、受信器フレーム同期表示信号を前段フレーム同期はずれ検出信号に基づいて決定することになる。他の方法を図１０に示す。図１０は論理和回路である。フレーム同期確立後は、前段フレーム同期はずれ検出信号又は後段フレーム同期はずれ検出信号のいずれかが出力されると、受信器フレーム同期表示信号をＬｏｗ状態とする。あるいは、受信器フレーム同期表示出力回路３５は、後段フレーム同期はずれ検出信号のみに基づいてフレーム同期はずれ状態とすることでもよい。
【００４５】
例えば、真のフレーム同期はずれの場合、“１”と“０”の出現確率がそれぞれ０．５で、同期ワードが６バイトとすると、同期ワードのビットエラー数は２４ビットとなる。  ここで、後段フレーム同期はずれ検出回路３４のカウントする許容値を超えたビットエラーを有する同期ワードの連続する規定数が、前段フレーム同期はずれ検出回路３３のカウントする許容値を超えたビットエラーを有する同期ワードの連続する規定数よりも小さく設定することが望ましい。例えば、フレーム同期検出保護段数＝２、前段フレーム同期はずれ検出の際の同期ワードビットエラー許容数＝１、後段フレーム同期はずれ検出の際の同期ワードビットエラー許容数＝１、前段フレーム同期はずれ検出保護段数＝７、後段フレーム同期はずれ検出保護段数＝２とする。これらの数値は１例であって、これらの数値に限定されるものではない。
【００４６】
この場合、後段フレーム同期はずれ検出回路３４の方が、前段フレーム同期はずれ検出回路３３よりも早くフレーム同期はずれを検出することができる。早めにフレーム同期はずれを検出できれば、前段同期ワード検出回路３１は早めに同期ワードの探索を開始することができる。その一方で、前段フレーム同期はずれ検出回路３３が、わずかなビットエラーでフレーム同期はずれと判定してしまう確率が減少する。
【００４７】
（実施形態７）
本実施形態の光送受信手順の例を図１４に示す。図１４において、光送受信方法は、入力されるデータ信号に同期ワードを付加してフレーム付加電気信号を生成するフレーム生成手順Ｐ１１と、フレーム生成手順Ｐ１１の後、フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコード手順Ｐ１２と、ＦＥＣエンコーダ手順Ｐ１２の後、エラー訂正付加電気信号を光信号に変換して送信する電気光変換手順Ｐ１３と、電気光変換手順Ｐ１３の後、光信号を受信し、受信した光信号を光電気変換して前記エラー訂正付加電気信号を再生する光電気変換手順Ｐ１４と、光電気変換手順Ｐ１４の後、エラー訂正付加電気信号から同期ワードを検出し、フレーム同期のとれたエラー訂正付加電気信号を出力する前段同期ワード検出手順Ｐ１５と、前段同期ワード検出手順Ｐ１５の後、前段同期ワード検出手順Ｐ１５で検出する同期ワードのうちビットエラーのない同期ワードの連続をカウントして規定数に達したときにフレーム同期確立と判定し、フレーム同期検出信号を出力する前段フレーム同期検出手順Ｐ１６と、前段フレーム同期検出手順Ｐ１６の後、フレーム同期のとれたエラー訂正付加電気信号を同期ワードを含めてエラー訂正し、フレーム付加電気信号を再生するＦＥＣデコード手順Ｐ１７と、ＦＥＣデコード手順Ｐ１７の後、フレーム付加電気信号に含まれる同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出手順Ｐ１８と、前段同期ワード検出手順Ｐ１５の後、前段同期ワード検出手順Ｐ１５で検出する同期ワードのうちビットエラーのない同期ワードの連続をカウントして規定数に達したときにフレーム同期確立と判定し、フレーム同期検出信号を出力する前段フレーム同期はずれ検出手順Ｐ２０と、前段フレーム同期はずれ検出手順Ｐ２０での前段フレーム同期はずれ検出信号又は後段フレーム同期はずれ検出手順Ｐ１８での後段フレーム同期はずれ検出信号に基づいてフレーム同期はずれ状態とする受信器フレーム同期表示信号を出力する前記受信器フレーム同期表示出力手順Ｐ２１と、を備える。
【００４８】
本実施形態では、後段フレーム同期はずれ検出信号又は前段フレーム同期はずれ検出信号に基づいてフレーム同期はずれとするため、不用意に後段フレーム同期はずれ検出信号が出力されることはない。その結果、データ信号の出力を中止したり、フレーム同期のとれたエラー訂正付加電気信号の出力を中止したり、同期ワードの探索を開始したりすることが少なくなる。
【００４９】
受信器フレーム同期表示出力手順Ｐ２１では、前段フレーム同期はずれ検出信号又は後段フレーム同期はずれ検出信号のいずれかが出力されるとフレーム同期はずれ状態としてもよいし、後段フレーム同期はずれ検出信号のみに基づいてフレーム同期はずれ状態としてもよい。
【００５０】
本実施形態の後段フレーム同期はずれ検出手順Ｐ１８では、エラー訂正された後にフレーム同期はずれを検出すため、不用意に後段フレーム同期はずれ検出信号が出力されることはない。また、前段フレーム同期はずれ検出信号と後段フレーム同期はずれ検出信号のいずれかに基づいて、フレーム同期はずれとすると、早くフレーム同期はずれを検出することができる。早めにフレーム同期はずれを検出できれば、早めに同期ワードの探索を開始することができる。
【００５１】
前段フレーム同期はずれ検出手順Ｐ２０でのビットエラー数の許容値が、後段フレーム同期はずれ検出手順Ｐ１８でのビットエラー数の許容値よりも大きいことが望ましい。この場合、受信器フレーム同期表示出力手順Ｐ２１では、前段フレーム同期はずれ検出信号又は後段フレーム同期はずれ検出信号のいずれかが出力されるとフレーム同期はずれ状態としてもよいし、前段フレーム同期はずれ検出信号のみに基づいてフレーム同期はずれ状態としてもよい。
【００５２】
例えば、フレーム同期検出保護段数＝２、前段フレーム同期はずれ検出の際の同期ワードビットエラー許容数＝５、後段フレーム同期はずれ検出の際の同期ワードビットエラー許容数＝１、前段フレーム同期はずれ検出保護段数＝後段フレーム同期はずれ検出保護段数＝７とする。これらの数値は１例であって、これらの数値に限定されるものではない。このような設定とすれば、前段フレーム同期はずれ検出手順Ｐ２０の方が後段フレーム同期はずれ検出手順Ｐ１８よりも早くフレーム同期はずれが検出されることができ、その一方で、前段フレーム同期はずれ検出手順Ｐ２０では、わずかなビットエラーでフレーム同期はずれと判定してしまう確率が減少する。
【００５３】
後段フレーム同期はずれ検出手順Ｐ１８でのカウントする許容値を超えたビットエラーを有する同期ワードの連続する規定数が、前段フレーム同期はずれ検出手順Ｐ２０でのカウントする許容値を超えたビットエラーを有する同期ワードの連続する規定数よりも小さいことが望ましい。この場合、受信器フレーム同期表示出力手順Ｐ２１では、前段フレーム同期はずれ検出信号又は後段フレーム同期はずれ検出信号のいずれかが出力されるとフレーム同期はずれ状態としてもよいし、後段フレーム同期はずれ検出信号のみに基づいてフレーム同期はずれ状態としてもよい。
【００５４】
例えば、フレーム同期検出保護段数＝２、前段フレーム同期はずれ検出の際の同期ワードビットエラー許容数＝１、後段フレーム同期はずれ検出の際の同期ワードビットエラー許容数＝１、前段フレーム同期はずれ検出保護段数＝７、後段フレーム同期はずれ検出保護段数＝２とする。これらの数値は１例であって、これらの数値に限定されるものではない。
【００５５】
この場合、後段フレーム同期はずれ検出手順Ｐ１８の方が前段フレーム同期はずれ検出手順Ｐ２０よりも早くフレーム同期はずれが検出されることができる。早めにフレーム同期はずれを検出できれば、早めに同期ワードの探索を開始することができる。その一方で、前段フレーム同期はずれ検出手順Ｐ２０で、わずかなビットエラーでフレーム同期はずれと判定してしまう確率が減少する。
【００５６】
（実施形態８）
本実施形態の光送受信システムの構成例を図１５に示す。実施形態４、５、６との差は、光送信装置１０において、ＦＥＣエンコーダ１２と電気光変換回路１５との間にスクランブラ１３が配置され、光受信装置２０において、前段同期ワード検出回路３１とＦＥＣデコーダ２２との間にデスクランブラ２３が配置されていることである。
【００５７】
スクランブラ１３は、ＦＥＣエンコーダ１２からのエラー訂正付加電気信号を擬似ランダム信号でスクランブルする。スクランブルによって、“０”や“１”の同符号連続を防止したり、“０”と“１”の出現確率を等しくすることができる。デスクランブラ２３は、スクランブルされた信号を元に戻す。スクランブラ１３やデスクランブラ２３が配置されても、実施形態４、５、６と同様の効果を発揮することができる。
【００５８】
（実施形態９）
本実施形態のコンピュータに実行させるための光受信プログラムの例を図１６に示す。図１６において、光信号を受信し、受信した光信号を光電気変換して前記エラー訂正付加電気信号を再生する光電気変換ステップＳ１４と、光電気変換ステップＳ１４の後、エラー訂正付加電気信号から同期ワードを検出し、フレーム同期のとれたエラー訂正付加電気信号を出力する前段同期ワード検出ステップＳ１５と、前段同期ワード検出ステップＳ１５の後、前段同期ワード検出ステップＳ１５で検出する同期ワードのうちビットエラーのない同期ワードの連続をカウントして規定数に達したときにフレーム同期確立と判定し、フレーム同期検出信号を出力する前段フレーム同期検出ステップＳ１６と、前段フレーム同期検出ステップＳ１６の後、フレーム同期のとれたエラー訂正付加電気信号を同期ワードを含めてエラー訂正し、フレーム付加電気信号を再生するＦＥＣデコードステップＳ１７と、ＦＥＣデコードステップＳ１７の後、フレーム付加電気信号に含まれる同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出ステップＳ１８と、後段フレーム同期はずれ検出ステップＳ１８での後段フレーム同期はずれ検出信号に基づいてフレーム同期はずれ状態とする受信器フレーム同期表示信号を出力する受信器フレーム同期表示出力ステップＳ１９と、を備える。
【００５９】
本実施形態では、後段フレーム同期はずれ検出信号又は前段フレーム同期はずれ検出信号に基づいてフレーム同期はずれとするため、不用意に後段フレーム同期はずれ検出信号が出力されることはない。その結果、光受信装置が、データ信号の出力を中止したり、フレーム同期のとれたエラー訂正付加電気信号の出力を中止したり、同期ワードの探索を開始したりすることが少なくなる。つまり、フレーム同期はずれ状態に移行しにくい。
【００６０】
（実施形態１０）
本実施形態のコンピュータに実行させるための光受信プログラムの例を図１７に示す。図１７において、光受信プログラムは、光信号を受信し、受信した光信号を光電気変換して前記エラー訂正付加電気信号を再生する光電気変換ステップＳ１４と、光電気変換ステップＳ１４の後、エラー訂正付加電気信号から同期ワードを検出し、フレーム同期のとれたエラー訂正付加電気信号を出力する前段同期ワード検出ステップＳ１５と、前段同期ワード検出ステップＳ１５の後、前段同期ワード検出ステップＳ１５で検出する同期ワードのうちビットエラーのない同期ワードの連続をカウントして規定数に達したときにフレーム同期確立と判定し、フレーム同期検出信号を出力する前段フレーム同期検出ステップＳ１６と、前段フレーム同期検出ステップＳ１６の後、フレーム同期のとれたエラー訂正付加電気信号を同期ワードを含めてエラー訂正し、フレーム付加電気信号を再生するＦＥＣデコードステップＳ１７と、ＦＥＣデコードステップＳ１７の後、フレーム付加電気信号に含まれる同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出ステップＳ１８と、前段同期ワード検出ステップＳ１６の後、前段同期ワード検出ステップＳ１５で検出する同期ワードのうちビットエラーのない同期ワードの連続をカウントして規定数に達したときにフレーム同期確立と判定し、フレーム同期検出信号を出力する前段フレーム同期検出ステップＳ２０と、前段フレーム同期はずれ検出ステップＳ２０での前段フレーム同期はずれ検出信号又は後段フレーム同期はずれ検出ステップＳ１８での後段フレーム同期はずれ検出信号に基づいてフレーム同期はずれ状態とする受信器フレーム同期表示信号を出力する前記受信器フレーム同期表示出力ステップＳ２１と、を備える。
【００６１】
本実施形態では、後段フレーム同期はずれ検出信号又は前段フレーム同期はずれ検出信号に基づいてフレーム同期はずれとするため、不用意に後段フレーム同期はずれ検出信号が出力されることはない。その結果、光受信装置が、データ信号の出力を中止したり、フレーム同期のとれたエラー訂正付加電気信号の出力を中止したり、同期ワードの探索を開始したりすることが少なくなる。
【００６２】
受信器フレーム同期表示出力ステップＳ２１では、前段フレーム同期はずれ検出信号又は後段フレーム同期はずれ検出信号のいずれかが出力されるとフレーム同期はずれ状態としてもよいし、後段フレーム同期はずれ検出信号のみに基づいてフレーム同期はずれ状態としてもよい。
【００６３】
本実施形態の後段フレーム同期はずれ検出ステップでは、エラー訂正された後にフレーム同期はずれを検出すため、不用意に後段フレーム同期はずれ検出信号が出力されることはない。また、前段フレーム同期はずれ検出信号と後段フレーム同期はずれ検出信号のいずれかに基づいて、フレーム同期はずれとすると、早くフレーム同期はずれを検出することができる。早めにフレーム同期はずれを検出できれば、早めに同期ワードの探索を開始することができる。
【００６４】
前段フレーム同期はずれ検出ステップＳ２０でのビットエラー数の許容値が、後段フレーム同期はずれ検出ステップＳ１８でのビットエラー数の許容値よりも大きいことが望ましい。この場合、受信器フレーム同期表示出力ステップＳ２１では、前段フレーム同期はずれ検出信号又は後段フレーム同期はずれ検出信号のいずれかが入力されるとフレーム同期はずれ状態としてもよいし、前段フレーム同期はずれ検出信号のみに基づいてフレーム同期はずれ状態としてもよい。
【００６５】
例えば、フレーム同期検出保護段数＝２、前段フレーム同期はずれ検出の際の同期ワードビットエラー許容数＝５、後段フレーム同期はずれ検出の際の同期ワードビットエラー許容数＝１、前段フレーム同期はずれ検出保護段数＝後段フレーム同期はずれ検出保護段数＝７とする。これらの数値は１例であって、これらの数値に限定されるものではない。このような設定とすれば、前段フレーム同期はずれ検出ステップＳ２０の方が後段フレーム同期はずれ検出ステップＳ１８よりも早くフレーム同期はずれが検出されることができ、その一方で、前段フレーム同期はずれ検出ステップＳ２０では、わずかなビットエラーでフレーム同期はずれと判定してしまう確率が減少する。
【００６６】
後段フレーム同期はずれ検出ステップＳ１８でのカウントする許容値を超えたビットエラーを有する同期ワードの連続する規定数が、前段フレーム同期はずれ検出ステップＳ２０でのカウントする許容値を超えたビットエラーを有する同期ワードの連続する規定数よりも小さいことが望ましい。この場合、受信器フレーム同期表示出力ステップＳ２１では、前段フレーム同期はずれ検出信号又は後段フレーム同期はずれ検出信号のいずれかが出力されるとフレーム同期はずれ状態としてもよいし、後段フレーム同期はずれ検出信号のみに基づいてフレーム同期はずれ状態としてもよい。
【００６７】
例えば、フレーム同期検出保護段数＝２、前段フレーム同期はずれ検出の際の同期ワードビットエラー許容数＝１、後段フレーム同期はずれ検出の際の同期ワードビットエラー許容数＝１、前段フレーム同期はずれ検出保護段数＝７、後段フレーム同期はずれ検出保護段数＝２とする。これらの数値は１例であって、これらの数値に限定されるものではない。
【００６８】
この場合、後段フレーム同期はずれ検出ステップＳ１８の方が前段フレーム同期はずれ検出ステップＳ２０よりも早くフレーム同期はずれが検出されることができる。早めにフレーム同期はずれを検出できれば、早めに同期ワードの探索を開始することができる。その一方で、前段フレーム同期はずれ検出ステップＳ２０では、わずかなビットエラーでフレーム同期はずれと判定してしまう確率が減少する。
【００６９】
（付記１）
入力されるデータ信号に同期ワードを付加してフレーム付加電気信号を生成するフレーム生成回路と、
前記フレーム生成回路からの前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコーダと、
前記ＦＥＣエンコーダからの前記エラー訂正付加電気信号を光信号に変換して送信する電気光変換回路と、
を備える光送信装置及び
前記電気光変換回路からの前記光信号を受信し、受信した光信号を光電気変換して前記エラー訂正付加電気信号を再生する光電気変換回路と、
前記光電気変換回路からの前記エラー訂正付加電気信号から前記同期ワードを検出し、フレーム同期のとれたエラー訂正付加電気信号を出力する前段同期ワード検出回路と、
前記前段同期ワード検出回路の検出する前記同期ワードのうちビットエラーのない同期ワードの連続をカウントして規定数に達したときにフレーム同期確立と判定し、フレーム同期検出信号を出力する前段フレーム同期検出回路と、
前記前段同期ワード検出回路からの前記フレーム同期のとれたエラー訂正付加電気信号を前記同期ワードを含めてエラー訂正し、前記フレーム付加電気信号を再生するＦＥＣデコーダと、
前記ＦＥＣデコータからの前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出回路と、
前記前段フレーム同期検出回路からの前記フレーム同期検出信号に基づいてフレーム同期確立状態とし、前記後段フレーム同期はずれ検出回路からの前記後段フレーム同期はずれ検出信号に基づいてフレーム同期はずれ状態とする受信器フレーム同期表示信号を出力する受信器フレーム同期表示出力回路と、
前記ＦＥＣデコーダからの前記フレーム付加電気信号から前記同期ワードを除去して前記データ信号を再生するフレーム終端回路と、
を備える光受信装置を有する光送受信システム。
【００７０】
（付記２）
前記光受信装置は、
前記前段同期ワード検出回路の検出する前記同期ワードのうち許容値を超えたビットエラーを有する同期ワードの連続をカウントして規定数に達したときにフレーム同期はずれと判定し、前段フレーム同期はずれ検出信号を出力する前段フレーム同期はずれ検出回路をさらに備え、
前記受信器フレーム同期表示出力回路は、前記前段フレーム同期検出回路からの前記フレーム同期検出信号に基づいてフレーム同期確立状態とし、前記前段フレーム同期はずれ検出回路からの前記前段フレーム同期はずれ検出信号又は前記後段フレーム同期はずれ検出回路からの前記後段フレーム同期はずれ検出信号に基づいてフレーム同期はずれ状態とする受信器フレーム同期表示信号を出力する、
ことを特徴とする付記１に記載の光送受信システム。
【００７１】
（付記３）
前記受信器フレーム同期表示出力回路は、前記前段フレーム同期はずれ検出信号又は前記後段フレーム同期はずれ検出信号のいずれかが入力されるとフレーム同期はずれ状態とすることを特徴とする付記２に記載の光送受信システム。
【００７２】
（付記４）
前記受信器フレーム同期表示出力回路は、前記後段フレーム同期はずれ検出信号のみに基づいてフレーム同期はずれ状態とすることを特徴とする付記２に記載の光送受信システム。
【００７３】
（付記５）
前記前段フレーム同期はずれ検出回路のビットエラー数の許容値が、前記後段フレーム同期はずれ検出回路のビットエラー数の許容値よりも大きく、
前記受信器フレーム同期表示出力回路は、前記前段フレーム同期はずれ検出信号又は前記後段フレーム同期はずれ検出信号のいずれかが入力されるとフレーム同期はずれ状態とすることを特徴とする付記２に記載の光送受信システム。
【００７４】
（付記６）
前記前段フレーム同期はずれ検出回路のビットエラー数の許容値が、前記後段フレーム同期はずれ検出回路のビットエラー数の許容値よりも大きく、
前記受信器フレーム同期表示出力回路は、前記前段フレーム同期はずれ検出信号のみに基づいてフレーム同期はずれ状態とすることを特徴とする付記２に記載の光送受信システム。
【００７５】
（付記７）
前記後段フレーム同期はずれ検出回路のカウントする許容値を超えたビットエラーを有する同期ワードの連続する規定数が、前記前段フレーム同期はずれ検出回路のカウントする許容値を超えたビットエラーを有する同期ワードの連続する規定数よりも小さく、
前記受信器フレーム同期表示出力回路は、前記前段フレーム同期はずれ検出信号又は前記後段フレーム同期はずれ検出信号のいずれかが入力されるとフレーム同期はずれ状態とすることを特徴とする付記２に記載の光送受信システム。
【００７６】
（付記８）
前記後段フレーム同期はずれ検出回路のカウントする許容値を超えたビットエラーを有する同期ワードの連続する規定数が、前記前段フレーム同期はずれ検出回路のカウントする許容値を超えたビットエラーを有する同期ワードの連続する規定数よりも小さく、
前記受信器フレーム同期表示出力回路は、前記後段フレーム同期はずれ検出信号のみに基づいてフレーム同期はずれ状態とすることを特徴とする付記２に記載の光送受信システム。
【００７７】
（付記９）
入力されるデータ信号に同期ワードを付加してフレーム付加電気信号を生成するフレーム生成手順と、
前記フレーム生成手順の後、前記フレーム付加電気信号にエラー訂正用の符号を付加してエラー訂正付加電気信号を生成するＦＥＣ（Ｆｏｒｗａｒｄ  Ｅｒｒｏｒ  Ｃｏｒｒｅｃｔｉｏｎ）エンコード手順と、
前記ＦＥＣエンコーダ手順の後、前記エラー訂正付加電気信号を光信号に変換して送信する電気光変換手順と、
前記電気光変換手順の後、前記光信号を受信し、受信した光信号を光電気変換して前記エラー訂正付加電気信号を再生する光電気変換手順と、
前記光電気変換手順の後、前記エラー訂正付加電気信号から前記同期ワードを検出し、フレーム同期のとれたエラー訂正付加電気信号を出力する前段同期ワード検出手順と、
前記前段同期ワード検出手順の後、前記前段同期ワード検出手順で検出する前記同期ワードのうちビットエラーのない同期ワードの連続をカウントして規定数に達したときにフレーム同期確立と判定し、フレーム同期検出信号を出力する前段フレーム同期検出手順と、
前記前段フレーム同期検出手順の後、前記フレーム同期のとれたエラー訂正付加電気信号を前記同期ワードを含めてエラー訂正し、前記フレーム付加電気信号を再生するＦＥＣデコード手順と、
前記ＦＥＣデコード手順の後、前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出手順と、
前記後段フレーム同期はずれ検出手順での前記後段フレーム同期はずれ検出信号に基づいてフレーム同期はずれ状態とする受信器フレーム同期表示信号を出力する受信器フレーム同期表示出力手順と、
を備える光送受信手順。
【００７８】
（付記１０）
前記前段同期ワード検出手順の後、前記前段同期ワード検出手順で検出する前記同期ワードのうちビットエラーのない同期ワードの連続をカウントして規定数に達したときにフレーム同期確立と判定し、フレーム同期検出信号を出力する前段フレーム同期検出手順をさらに備え、
前記受信器フレーム同期表示出力手順は、前記前段フレーム同期はずれ検出手順での前記前段フレーム同期はずれ検出信号又は前記後段フレーム同期はずれ検出手順での前記後段フレーム同期はずれ検出信号に基づいてフレーム同期はずれ状態とする受信器フレーム同期表示信号を出力することを特徴とする付記９に記載の光送受信手順。
【００７９】
（付記１１）
前記受信器フレーム同期表示出力手順は、前記前段フレーム同期はずれ検出信号又は前記後段フレーム同期はずれ検出信号のいずれかが入力されるとフレーム同期はずれ状態とすることを特徴とする付記１０に記載の光送受信手順。
【００８０】
（付記１２）
前記受信器フレーム同期表示出力手順は、前記後段フレーム同期はずれ検出信号のみに基づいてフレーム同期はずれ状態とすることを特徴とする付記１０に記載の光送受信手順。
【００８１】
（付記１３）
前記前段フレーム同期はずれ検出手順でのビットエラー数の許容値が、前記後段フレーム同期はずれ検出手順でのビットエラー数の許容値よりも大きく、
前記受信器フレーム同期表示出力手順は、前記前段フレーム同期はずれ検出信号又は前記後段フレーム同期はずれ検出信号のいずれかが入力されるとフレーム同期はずれ状態とすることを特徴とする付記１０に記載の光送受信手順。
【００８２】
（付記１４）
前記前段フレーム同期はずれ検出手順でのビットエラー数の許容値が、前記後段フレーム同期はずれ検出でのビットエラー数の許容値よりも大きく、
前記受信器フレーム同期表示出力手順は、前記前段フレーム同期はずれ検出信号のみに基づいてフレーム同期はずれ状態とすることを特徴とする付記１０に記載の光送受信手順。
【００８３】
（付記１５）
前記後段フレーム同期はずれ検出手順でのカウントする許容値を超えたビットエラーを有する同期ワードの連続する規定数が、前記前段フレーム同期はずれ検出手順でのカウントする許容値を超えたビットエラーを有する同期ワードの連続する規定数よりも小さく、
前記受信器フレーム同期表示出力手順では、前記前段フレーム同期はずれ検出信号又は前記後段フレーム同期はずれ検出信号のいずれかが入力されるとフレーム同期はずれ状態とすることを特徴とする付記１０に記載の光送受信手順。
【００８４】
（付記１６）
前記後段フレーム同期はずれ検出手順でのカウントする許容値を超えたビットエラーを有する同期ワードの連続する規定数が、前記前段フレーム同期はずれ検出手順でのカウントする許容値を超えたビットエラーを有する同期ワードの連続する規定数よりも小さく、
前記受信器フレーム同期表示出力手順は、前記後段フレーム同期はずれ検出信号のみに基づいてフレーム同期はずれ状態とすることを特徴とする付記１０に記載の光送受信手順。
【００８５】
（付記１７）
光信号を受信し、受信した光信号を光電気変換してエラー訂正付加電気信号を再生する光電気変換回路と、
前記光電気変換回路からの前記エラー訂正付加電気信号から同期ワードを検出し、フレーム同期のとれたエラー訂正付加電気信号を出力する前段同期ワード検出回路と、
前記前段同期ワード検出回路の検出する前記同期ワードのうちビットエラーのない同期ワードの連続をカウントして規定数に達したときにフレーム同期確立と判定し、フレーム同期検出信号を出力する前段フレーム同期検出回路と、
前記前段同期ワード検出回路からの前記フレーム同期のとれたエラー訂正付加電気信号を前記同期ワードを含めてエラー訂正し、フレーム付加電気信号を再生するＦＥＣデコーダと、
前記ＦＥＣデコータからの前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出回路と、
前記前段フレーム同期検出回路からの前記フレーム同期検出信号に基づいてフレーム同期確立状態とし、前記後段フレーム同期はずれ検出回路からの前記後段フレーム同期はずれ検出信号に基づいてフレーム同期はずれ状態とする受信器フレーム同期表示信号を出力する受信器フレーム同期表示出力回路と、
前記ＦＥＣデコーダからの前記フレーム付加電気信号から前記同期ワードを除去して前記データ信号を再生するフレーム終端回路と、を備える光受信装置。
【００８６】
（付記１８）
前記光受信装置は、
前記前段同期ワード検出回路の検出する前記同期ワードのうち許容値を超えたビットエラーを有する同期ワードの連続をカウントして規定数に達したときにフレーム同期はずれと判定し、前段フレーム同期はずれ検出信号を出力する前段フレーム同期はずれ検出回路をさらに備え、
前記受信器フレーム同期表示出力回路は、前記前段フレーム同期検出回路からの前記フレーム同期検出信号に基づいてフレーム同期確立状態とし、前記前段フレーム同期はずれ検出回路からの前記前段フレーム同期はずれ検出信号又は前記後段フレーム同期はずれ検出回路からの前記後段フレーム同期はずれ検出信号に基づいてフレーム同期はずれ状態とする受信器フレーム同期表示信号を出力する、
ことを特徴とする付記１７に記載の光受信装置。
【００８７】
（付記１９）
前記受信器フレーム同期表示出力回路は、前記前段フレーム同期はずれ検出信号又は前記後段フレーム同期はずれ検出信号のいずれかが入力されるとフレーム同期はずれ状態とすることを特徴とする付記１８に記載の光受信装置。
【００８８】
（付記２０）
前記受信器フレーム同期表示出力回路は、前記後段フレーム同期はずれ検出信号のみに基づいてフレーム同期はずれ状態とすることを特徴とする付記１８に記載の光受信装置。
【００８９】
（付記２１）
前記前段フレーム同期はずれ検出回路のビットエラー数の許容値が、前記後段フレーム同期はずれ検出回路のビットエラー数の許容値よりも大きく、
前記受信器フレーム同期表示出力回路は、前記前段フレーム同期はずれ検出信号又は前記後段フレーム同期はずれ検出信号のいずれかが入力されるとフレーム同期はずれ状態とすることを特徴とする付記１８に記載の光受信装置。
【００９０】
（付記２２）
前記前段フレーム同期はずれ検出回路のビットエラー数の許容値が、前記後段フレーム同期はずれ検出回路のビットエラー数の許容値よりも大きく、
前記受信器フレーム同期表示出力回路は、前記前段フレーム同期はずれ検出信号のみに基づいてフレーム同期はずれ状態とすることを特徴とする付記１８に記載の光受信装置。
【００９１】
（付記２３）
前記後段フレーム同期はずれ検出回路のカウントする許容値を超えたビットエラーを有する同期ワードの連続する規定数が、前記前段フレーム同期はずれ検出回路のカウントする許容値を超えたビットエラーを有する同期ワードの連続する規定数よりも小さく、
前記受信器フレーム同期表示出力回路は、前記前段フレーム同期はずれ検出信号又は前記後段フレーム同期はずれ検出信号のいずれかが入力されるとフレーム同期はずれ状態とすることを特徴とする付記１８に記載の光受信装置。
【００９２】
（付記２４）
前記後段フレーム同期はずれ検出回路のカウントする許容値を超えたビットエラーを有する同期ワードの連続する規定数が、前記前段フレーム同期はずれ検出回路のカウントする許容値を超えたビットエラーを有する同期ワードの連続する規定数よりも小さく、
前記受信器フレーム同期表示出力回路は、前記後段フレーム同期はずれ検出信号のみに基づいてフレーム同期はずれ状態とすることを特徴とする付記１８に記載の光受信装置。
【００９３】
（付記２５）
光信号を受信し、受信した光信号を光電気変換して前記エラー訂正付加電気信号を再生する光電気変換手順と、
前記光電気変換手順の後、前記エラー訂正付加電気信号から前記同期ワードを検出し、フレーム同期のとれたエラー訂正付加電気信号を出力する前段同期ワード検出手順と、
前記前段同期ワード検出手順の後、前記前段同期ワード検出手順で検出する前記同期ワードのうちビットエラーのない同期ワードの連続をカウントして規定数に達したときにフレーム同期確立と判定し、フレーム同期検出信号を出力する前段フレーム同期検出手順と、
前記前段フレーム同期検出手順の後、前記フレーム同期のとれたエラー訂正付加電気信号を前記同期ワードを含めてエラー訂正し、前記フレーム付加電気信号を再生するＦＥＣデコード手順と、
前記ＦＥＣデコード手順の後、前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出手順と、
前記後段フレーム同期はずれ検出手順での前記後段フレーム同期はずれ検出信号に基づいてフレーム同期はずれ状態とする受信器フレーム同期表示信号を出力する受信器フレーム同期表示出力手順と、を備える光受信手順。
【００９４】
（付記２６）
前記前段同期ワード検出手順の後、前記前段同期ワード検出手順で検出する前記同期ワードのうちビットエラーのない同期ワードの連続をカウントして規定数に達したときにフレーム同期確立と判定し、フレーム同期検出信号を出力する前段フレーム同期検出手順をさらに備え、
前記受信器フレーム同期表示出力手順は、前記前段フレーム同期はずれ検出手順での前記前段フレーム同期はずれ検出信号又は前記後段フレーム同期はずれ検出手順での前記後段フレーム同期はずれ検出信号に基づいてフレーム同期はずれ状態とする受信器フレーム同期表示信号を出力することを特徴とする付記２５に記載の光受信手順。
【００９５】
（付記２７）
前記受信器フレーム同期表示出力手順は、前記前段フレーム同期はずれ検出信号又は前記後段フレーム同期はずれ検出信号のいずれかが入力されるとフレーム同期はずれ状態とすることを特徴とする付記２６に記載の光受信手順。
【００９６】
（付記２８）
前記受信器フレーム同期表示出力手順は、前記後段フレーム同期はずれ検出信号のみに基づいてフレーム同期はずれ状態とすることを特徴とする付記２６に記載の光受信手順。
【００９７】
（付記２９）
前記前段フレーム同期はずれ検出手順でのビットエラー数の許容値が、前記後段フレーム同期はずれ検出手順でのビットエラー数の許容値よりも大きく、
前記受信器フレーム同期表示出力手順は、前記前段フレーム同期はずれ検出信号又は前記後段フレーム同期はずれ検出信号のいずれかが入力されるとフレーム同期はずれ状態とすることを特徴とする付記２６に記載の光受信手順。
【００９８】
（付記３０）
前記前段フレーム同期はずれ検出手順でのビットエラー数の許容値が、前記後段フレーム同期はずれ検出でのビットエラー数の許容値よりも大きく、
前記受信器フレーム同期表示出力手順は、前記前段フレーム同期はずれ検出信号のみに基づいてフレーム同期はずれ状態とすることを特徴とする付記２６に記載の光受信手順。
【００９９】
（付記３１）
前記後段フレーム同期はずれ検出手順でのカウントする許容値を超えたビットエラーを有する同期ワードの連続する規定数が、前記前段フレーム同期はずれ検出手順でのカウントする許容値を超えたビットエラーを有する同期ワードの連続する規定数よりも小さく、
前記受信器フレーム同期表示出力手順では、前記前段フレーム同期はずれ検出信号又は前記後段フレーム同期はずれ検出信号のいずれかが入力されるとフレーム同期はずれ状態とすることを特徴とする付記２６に記載の光受信手順。
【０１００】
（付記３２）
前記後段フレーム同期はずれ検出手順でのカウントする許容値を超えたビットエラーを有する同期ワードの連続する規定数が、前記前段フレーム同期はずれ検出手順でのカウントする許容値を超えたビットエラーを有する同期ワードの連続する規定数よりも小さく、
前記受信器フレーム同期表示出力手順は、前記後段フレーム同期はずれ検出信号のみに基づいてフレーム同期はずれ状態とすることを特徴とする付記２６に記載の光受信手順。
【０１０１】
（付記３３）
光信号を受信し、受信した光信号を光電気変換して前記エラー訂正付加電気信号を再生する光電気変換ステップと、
前記光電気変換ステップの後、前記エラー訂正付加電気信号から前記同期ワードを検出し、フレーム同期のとれたエラー訂正付加電気信号を出力する前段同期ワード検出ステップと、
前記前段同期ワード検出ステップの後、前記前段同期ワード検出ステップで検出する前記同期ワードのうちビットエラーのない同期ワードの連続をカウントして規定数に達したときにフレーム同期確立と判定し、フレーム同期検出信号を出力する前段フレーム同期検出ステップと、
前記前段フレーム同期検出ステップの後、前記フレーム同期のとれたエラー訂正付加電気信号を前記同期ワードを含めてエラー訂正し、前記フレーム付加電気信号を再生するＦＥＣデコードステップと、
前記ＦＥＣデコードステップの後、前記フレーム付加電気信号に含まれる前記同期ワードのうち許容値を超えたビットエラーを有する同期ワードの連続をカウントして規定数に達したときにフレーム同期はずれと判定し、後段フレーム同期はずれ検出信号を出力する後段フレーム同期はずれ検出ステップと、
前記後段フレーム同期はずれ検出ステップでの前記後段フレーム同期はずれ検出信号に基づいてフレーム同期はずれ状態とする受信器フレーム同期表示信号を出力する受信器フレーム同期表示出力ステップと、を備える受信ステップ、
をコンピュータに実行させるための光受信プログラム。
【０１０２】
（付記３４）
前記前段同期ワード検出ステップの後、前記前段同期ワード検出ステップで検出する前記同期ワードのうちビットエラーのない同期ワードの連続をカウントして規定数に達したときにフレーム同期確立と判定し、フレーム同期検出信号を出力する前段フレーム同期検出ステップをさらに備え、
前記受信器フレーム同期表示出力ステップは、前記前段フレーム同期はずれ検出ステップでの前記前段フレーム同期はずれ検出信号又は前記後段フレーム同期はずれ検出ステップでの前記後段フレーム同期はずれ検出信号に基づいてフレーム同期はずれ状態とする受信器フレーム同期表示信号を出力することを特徴とする付記３３に記載のコンピュータに実行させるための光受信プログラム。
【０１０３】
（付記３５）
前記受信器フレーム同期表示出力ステップは、前記前段フレーム同期はずれ検出信号又は前記後段フレーム同期はずれ検出信号のいずれかが入力されるとフレーム同期はずれ状態とすることを特徴とする付記３４に記載のコンピュータに実行させるための光受信プログラム。
【０１０４】
（付記３６）
前記受信器フレーム同期表示出力ステップは、前記後段フレーム同期はずれ検出信号のみに基づいてフレーム同期はずれ状態とすることを特徴とする付記３４に記載のコンピュータに実行させるための光受信プログラム。
【０１０５】
（付記３７）
前記前段フレーム同期はずれ検出ステップでのビットエラー数の許容値が、前記後段フレーム同期はずれ検出ステップでのビットエラー数の許容値よりも大きく、
前記受信器フレーム同期表示出力ステップは、前記前段フレーム同期はずれ検出信号又は前記後段フレーム同期はずれ検出信号のいずれかが入力されるとフレーム同期はずれ状態とすることを特徴とする付記３４に記載のコンピュータに実行させるための光受信プログラム。
【０１０６】
（付記３８）
前記前段フレーム同期はずれ検出ステップでのビットエラー数の許容値が、前記後段フレーム同期はずれ検出でのビットエラー数の許容値よりも大きく、
前記受信器フレーム同期表示出力ステップは、前記前段フレーム同期はずれ検出信号のみに基づいてフレーム同期はずれ状態とすることを特徴とする付記３４に記載のコンピュータに実行させるための光受信プログラム。
【０１０７】
（付記３９）
前記後段フレーム同期はずれ検出ステップでのカウントする許容値を超えたビットエラーを有する同期ワードの連続する規定数が、前記前段フレーム同期はずれ検出ステップでのカウントする許容値を超えたビットエラーを有する同期ワードの連続する規定数よりも小さく、
前記受信器フレーム同期表示出力ステップでは、前記前段フレーム同期はずれ検出信号又は前記後段フレーム同期はずれ検出信号のいずれかが入力されるとフレーム同期はずれ状態とすることを特徴とする付記３４に記載のコンピュータに実行させるための光受信プログラム。
【０１０８】
（付記４０）
前記後段フレーム同期はずれ検出ステップでのカウントする許容値を超えたビットエラーを有する同期ワードの連続する規定数が、前記前段フレーム同期はずれ検出ステップでのカウントする許容値を超えたビットエラーを有する同期ワードの連続する規定数よりも小さく、
前記受信器フレーム同期表示出力ステップは、前記後段フレーム同期はずれ検出信号のみに基づいてフレーム同期はずれ状態とすることを特徴とする付記３４に記載のコンピュータに実行させるための光受信プログラム。
【産業上の利用可能性】
【０１０９】
本発明は、光通信システムに利用することができる。
【符号の説明】
【０１１０】
１０：光送信装置
１１：フレーム生成回路
１２：ＦＥＣエンコーダ
１３：スクランブラ
１５：電気光変換回路
２０：光受信装置
２１：フレーム終端回路
２２：ＦＥＣデコーダ
２３：デスクランブラ
２５：光電気変換回路
３１：前段同期ワード検出回路
３２：前段フレーム同期検出回路
３３：前段フレーム同期はずれ検出回路
３４：後段フレーム同期はずれ検出回路
３５：受信器フレーム同期表示出力回路
４０：光ファイバ伝送路
７０：光送信装置
７１：フレーム生成回路
７２：ＦＥＣエンコーダ
７５：電気光変換回路
８０：光受信装置
８１：フレーム終端回路
８２：ＦＥＣデコーダ
８５：光電気変換回路
９１：同期ワード検出回路
９２：フレーム同期検出回路
９３：フレーム同期はずれ検出回路
９５：受信器フレーム同期表示回路
５００：ディジタルコヒレント光受信回路
５１１：偏波ビームスプリッタ
５１２：偏波ビームスプリッタ
５２１：光ハブリッド回路
５２２：光ハブリッド回路
５３１：Ｏ／Ｅ変換部
５３２：Ｏ／Ｅ変換部
５４１：Ａ／Ｄ変換部
５４２：Ａ／Ｄ変換部
５５０：ディジタル信号処理部
５６０：局部発振光源
【図１】
2012182594.tif 000003
【図２】
2012182594.tif 000004
【図３】
2012182594.tif 000005
【図４】
2012182594.tif 000006
【図５】
2012182594.tif 000007
【図６】
2012182594.tif 000008
【図７】
2012182594.tif 000009
【図８】
2012182594.tif 000010
【図９】
2012182594.tif 000011
【図１０】
2012182594.tif 000012
【図１１】
2012182594.tif 000013
【図１２】
2012182594.tif 000014
【図１３】
2012182594.tif 000015
【図１４】
2012182594.tif 000016
【図１５】
2012182594.tif 000017
【図１６】
2012182594.tif 000018
【図１７】
2012182594.tif 000019
【図１８】
2012182594.tif 000020